(57)【要約】【課題】居室空間において空調効率の低下を抑制できる建物の間仕切構造を提供する。【解決手段】建物１０の一階部分には、和室１４、ＬＤＫ空間２０、二階部分に通じる階段１９が設置された階段空間１８等が設けられている。階段空間１８はＬＤＫ空間２０と隣接して設けられ、階段空間１８を囲む囲い壁の一部にはＬＤＫ空間２０から階段空間１８への出入りを可能とする階段開口部２３が形成されている。一階部分には、複数の縦桟３１が格子状に組まれてなる格子間仕切３０が設けられ、格子間仕切３０は、ＬＤＫ空間２０と和室１４とを仕切る第１仕切位置と、ＬＤＫ空間２０と階段空間１８とを仕切る第２仕切位置との間で移動可能とされている。格子間仕切３０は、隣り合う縦桟３１同士が当接されることにより隙間を閉じる隙間閉鎖状態と、それら縦桟３１同士が離間されることにより隙間を開放する隙間開放状態とに切替可能とされている。【選択図】      図１
2013014896.tif 000002
【特許請求の範囲】
【請求項１】
複数階を有してなるとともに、それら各階のうちいずれかの階には居室空間と、当該階の上又は下の階に通じる階段を有する階段空間とが隣接して設けられており、前記階段空間は囲い壁により囲まれており、その囲い壁の一部に前記居室空間から前記階段空間への出入りを可能とする階段開口部が形成されている建物に適用され、
複数の長尺材が格子状に組まれてなる可動式の格子間仕切を備え、
前記格子間仕切は、前記居室空間を当該格子間仕切を挟んだ両側スペースに仕切る第１位置と、前記階段開口部を覆うように配置されて前記居室空間と前記階段空間とを仕切る第２位置との間で移動可能とされているとともに、隣り合う前記長尺材の間の隙間を閉じる閉状態と、該隙間を開く開状態との間で動作可能とされた開閉手段を備えることを特徴とする建物の間仕切構造。
【請求項２】
前記格子間仕切は、横並びに設けられた複数の前記長尺材としての縦桟が連結部材を介して連結されることにより構成されており、
前記連結部材は、前記隣り合う縦桟同士の間隔を可変とすべく、それら縦桟同士を相対変位可能に連結するものであり、
前記開閉手段は、前記隣り合う各縦桟であり、それら各縦桟が互いに当接されることにより前記閉状態とされ、互いに離間されることにより前記開状態とされることを特徴とする請求項１に記載の建物の間仕切構造。
【請求項３】
前記隣り合う各縦桟はそれら両者を連結する前記連結部材に対して移動可能に設けられており、それら各縦桟の移動によって隣り合う縦桟同士の間隔が調整可能とされており、
さらに前記連結部材は伸縮可能に構成されており、その伸縮によっても前記隣り合う縦桟同士の間隔が調整可能となっていることを特徴とする請求項２に記載の建物の間仕切構造。
【請求項４】
前記格子間仕切は、前記長尺材としての縦桟が横並びに複数設けられることにより構成される複数の間仕切パネルを備え、
それら各間仕切パネルは、少なくとも一部が重ね合わせられた状態で横幅方向へのスライド移動が可能に設けられており、そのスライド移動によって互いの重ね代が調整可能とされており、
前記開閉手段は、前記各間仕切パネルのうち一方の間仕切パネルであり、
前記一方の間仕切パネルは、
前記閉状態では、自らの縦桟が他方の間仕切パネルの縦桟と互い違いとなる位置に配置されることで、他方の間仕切パネルにおいて前記隣り合う縦桟同士の間に形成された各隙間をすべて閉鎖し、
前記開状態では、自らの縦桟が他方の間仕切パネルの縦桟と前記格子間仕切の厚み方向に対向配置されることで、前記他方の間仕切パネルの前記隙間を開放することを特徴とする請求項１に記載の建物の間仕切構造。
【請求項５】
前記格子間仕切の移動を案内する案内レールを備えることを特徴とする請求項１乃至４のいずれか一項に記載の建物の間仕切構造。
【請求項６】
前記格子間仕切の移動を阻止する阻止手段を備えることを特徴とする請求項１乃至５のいずれか一項に記載の建物の間仕切構造。
【発明の詳細な説明】
【技術分野】
【０００１】
本発明は、建物の間仕切構造に関する。
【背景技術】
【０００２】
住宅等の建物では、一階部分にリビング、ダイニング及びキッチンを連続空間として形成したいわゆるＬＤＫ空間が居室空間として設けられている場合がある。かかるＬＤＫ空間では建物内の開放感を高めることができるという利点がある。
【０００３】
また、このようなＬＤＫ空間を有する建物では、一階部分と二階部分とを行き来するための階段が設置された階段空間が当該ＬＤＫ空間に隣接して設けられているものがある。このような建物では、ＬＤＫ空間から階段空間へ出入りするための階段開口部を通じて、ＬＤＫ空間を、上下階に亘って延びる階段空間と連続させる場合が考えられる。その場合、ＬＤＫ空間の開放感をより一層高めることが可能となる。
【０００４】
ここで、上記のＬＤＫ空間に可動式の間仕切を設置して、ＬＤＫ空間を必要に応じて間仕切により仕切って使用することが考えられる。この種の間仕切としては、例えば複数の縦桟により格子状（連子状）に形成された格子間仕切を用いることができる（例えば、特許文献１参照）。格子間仕切を用いれば、縦桟同士の隙間を通じて採光性や通風性を確保しつつ、ＬＤＫ空間を仕切ることができるため、間仕切により仕切られた各空間を快適なものとすることができる。
【先行技術文献】
【特許文献】
【０００５】
【特許文献１】特開２００７−１６２３９１号公報
【発明の概要】
【発明が解決しようとする課題】
【０００６】
ところで、ＬＤＫ空間と階段空間とが隣接配置された上記の建物では、ＬＤＫ空間において空調装置により暖房が実施されている場合に、ＬＤＫ空間の暖気が階段空間を通じて二階部分に流れ出すことが考えられる。その場合、ＬＤＫ空間において空調効率（暖房効率）の低下が懸念される。
【０００７】
本発明は、上記事情に鑑みてなされたものであり、居室空間において空調効率の低下を抑制できる建物の間仕切構造を提供することを主たる目的とするものである。
【課題を解決するための手段】
【０００８】
上記課題を解決すべく、第１の発明の建物の間仕切構造は、複数階を有してなるとともに、それら各階のうちいずれかの階には居室空間と、当該階の上又は下の階に通じる階段を有する階段空間とが隣接して設けられており、前記階段空間は囲い壁により囲まれており、その囲い壁の一部に前記居室空間から前記階段空間への出入りを可能とする階段開口部が形成されている建物に適用され、複数の長尺材が格子状に組まれてなる可動式の格子間仕切を備え、前記格子間仕切は、前記居室空間を当該格子間仕切を挟んだ両側スペースに仕切る第１位置と、前記階段開口部を覆うように配置されて前記居室空間と前記階段空間とを仕切る第２位置との間で移動可能とされているとともに、隣り合う前記長尺材の間の隙間を閉じる閉状態と、該隙間を開く開状態との間で動作可能とされた開閉手段を備えることを特徴とする。
【０００９】
本発明によれば、格子間仕切を第２位置に移動させることで、居室空間と階段空間とを仕切ることができる。そして、その仕切状態で、開閉手段を閉状態とすることにより格子間仕切の長尺材同士の隙間が閉鎖することで、当該隙間を通じた居室空間と階段空間との間の通気を遮断できる。これにより、居室空間において空調装置による空調（冷房又は暖房）が実施されている場合に、居室空間内の空気（冷気又は暖気）が階段空間に流れ込むのを、ひいては階段空間を通じて上又は下の階に流れ出るのを抑制できるため、空調効率の低下を抑制できる。
【００１０】
なお、格子間仕切を第１位置に配置して居室空間を仕切る場合に、長尺材同士の間の隙間を開放すれば、かかる隙間を介して採光や通風が可能となるため、格子間仕切により仕切られる両空間を快適なものとすることができる。また、格子間仕切を第２位置に配置して居室空間と階段空間とを仕切る場合には、居室空間から階段空間への移動を遮断できるため、ペットや幼児等が勝手に居室空間から階段空間に入って階段を上ったり下りたりする事態を未然に防止することもできる。
【００１１】
第２の発明の建物の間仕切構造は、第１の発明において、前記格子間仕切は、横並びに設けられた複数の前記長尺材としての縦桟が連結部材を介して連結されることにより構成されており、前記連結部材は、前記隣り合う縦桟同士の間隔を可変とすべく、それら縦桟同士を相対変位可能に連結するものであり、前記開閉手段は、前記隣り合う各縦桟であり、それら各縦桟が互いに当接されることにより前記閉状態とされ、互いに離間されることにより前記開状態とされることを特徴とする。
【００１２】
一般に階段開口部と居室空間とは幅寸法が異なり、階段開口部は居室空間よりも幅狭である。この点からすれば、格子間仕切が第１位置にある場合と第２位置にある場合とでは仕切るべき幅寸法が異なることになる。この点本発明によれば、隣接する縦桟同士が間隔をあけて配置されることによりそれら縦桟同士の間に隙間が形成（開放）される一方、隣接する縦桟同士が当接されて配置されることにより当該隙間が閉鎖される構成となっており、これにより隙間の開閉に伴って格子間仕切の横幅を大小調整することが可能となっている。具体的には、隙間が開放（形成）された場合には格子間仕切の横幅を大きくすることができ、隙間が閉鎖された（形成されない）場合には格子間仕切の横幅を小さくすることができる。したがって、格子間仕切を第１位置に配置して居室空間を仕切る場合には、隙間を開放することにより居室空間を広範囲に仕切ることができる。一方、格子間仕切を第２位置に配置して階段空間と居室空間とを仕切る場合には、隙間を閉鎖した状態において格子間仕切が階段開口部から側方にはみ出す量を小さくすることができるため、同はみ出し部分が歩行の邪魔になる等の不都合を抑制しつつそれら両空間を仕切ることができる。つまり、本発明によれば、それぞれの通気状態を適正化しつつ仕切幅を都合よく調整することができる。
【００１３】
第３の発明の建物の間仕切構造は、第２の発明において、前記隣り合う各縦桟はそれら両者を連結する前記連結部材に対して移動可能に設けられており、それら各縦桟の移動によって隣り合う縦桟同士の間隔が調整可能とされており、さらに前記連結部材は伸縮可能に構成されており、その伸縮によっても前記隣り合う縦桟同士の間隔が調整可能となっていることを特徴とする。
【００１４】
本発明によれば、隣り合う各縦桟を連結部材に対してスライドさせることによっても、連結部材を伸縮させることによっても、縦桟同士の間隔を調整できるため、縦桟同士の間隔の調整範囲を大きくすることができ、ひいては格子間仕切の横幅の調整範囲を大きくすることができる。そのため、縦桟同士の隙間を閉鎖させた場合における格子間仕切の横幅と、縦桟同士の隙間を開放させた場合における格子間仕切の横幅とについて、これら各横幅の比率を大きくすることができ、その結果第２の発明の効果を好適に得ることができる。
【００１５】
第４の発明の建物の間仕切構造は、第１の発明において、前記格子間仕切は、前記長尺材としての縦桟が横並びに複数設けられることにより構成される複数の間仕切パネルを備え、それら各間仕切パネルは、少なくとも一部が重ね合わせられた状態で横幅方向へのスライド移動が可能に設けられており、そのスライド移動によって互いの重ね代が調整可能とされており、前記開閉手段は、前記各間仕切パネルのうち一方の間仕切パネルであり、前記一方の間仕切パネルは、前記閉状態では、自らの縦桟が他方の間仕切パネルの縦桟と互い違いとなる位置に配置されることで、他方の間仕切パネルにおいて前記隣り合う縦桟同士の間に形成された各隙間をすべて閉鎖し、前記開状態では、自らの縦桟が他方の間仕切パネルの縦桟と前記格子間仕切の厚み方向に対向配置されることで、前記他方の間仕切パネルの前記隙間を開放することを特徴とする。
【００１６】
本発明によれば、各間仕切パネルのうち一方の間仕切パネルを他方の間仕切パネルに対して横幅方向にずらすことにより、一方の間仕切パネルの縦桟により他方の間仕切パネルの隣接する縦桟同士の間の各隙間を開閉できる。この場合、一方の間仕切パネルの位置をずらすだけで、他方の間仕切パネルの各隙間を一度に開閉できるため、隙間の開閉作業を容易とすることができる。
【００１７】
第５の発明の建物の間仕切構造は、第１乃至第４のいずれかの発明において、前記格子間仕切の移動を案内する案内レールを備えることを特徴とする。
【００１８】
本発明によれば、案内レールに沿って格子間仕切を移動できるため、格子間仕切の移動作業を好適に行うことができる。
【００１９】
第６の発明の建物の間仕切構造は、第１乃至第５のいずれかの発明において、前記格子間仕切の移動を阻止する阻止手段を備えることを特徴とする。
【００２０】
本発明によれば、格子間仕切の移動を阻止手段により阻止することで、格子間仕切を所定の位置（第１位置又は第２位置）にて保持させておくことができる。そのため、移動可能な格子間仕切であっても安定した設置状態を実現できる。
【図面の簡単な説明】
【００２１】
【図１】一階部分の間取りを示す平面図。
【図２】格子間仕切を示す正面図。
【図３】格子間仕切の一部を拡大して示す斜視図であり、（ａ）が縦桟同士の間の隙間が開放された状態を示し、（ｂ）が当該隙間が閉鎖された状態を示す。
【図４】案内レールにガイド部材が配設された状態を示す断面図。
【図５】格子間仕切の作用を説明するための説明図。
【図６】他の実施形態における格子間仕切を示す斜視図。
【図７】格子間仕切の作用を説明するための説明図。
【図８】他の実施形態における格子間仕切を示す斜視図。
【図９】阻止手段の別例を示す正面図。
【発明を実施するための形態】
【００２２】
以下に、本発明を具体化した一実施の形態について図面を参照しつつ説明する。本実施形態では一階部分と二階部分とを有する２階建ての建物について具体化している。図１は一階部分の間取りを示す平面図である。
【００２３】
図１に示すように、建物１０において一階部分には、居室空間としてリビング１１、ダイニング１２、キッチン１３及び和室１４が設けられており、非居室空間として玄関１５、浴室１６、脱衣室１７及び階段空間１８が設けられている。このうち、リビング１１、ダイニング１２及びキッチン１３は一階部分の南側に配置され、和室１４、浴室１６、脱衣室１７及び階段空間１８は一階部分の北側に配置されている。
【００２４】
リビング１１、ダイニング１２及びキッチン１３は連続した一体空間（すなわちＬＤＫ空間２０）として形成されており、リビング１１にはエアコン等からなる空調装置２１が設置されている。この空調装置２１によりＬＤＫ空間２０を対象とした冷房及び暖房を行うことが可能となっている。
【００２５】
和室１４はリビング１１（換言するとＬＤＫ空間２０）と隣接して設けられている。リビング１１と和室１４との間には固定壁よりなる間仕切壁が設けられておらず、それ故リビング１１と和室１４との境界部には同境界部全域に亘って開口部（以下、居室間開口部２２という）が形成されている。したがって、ＬＤＫ空間２０と和室１４とは居室間開口部２２を介して連続して形成されており、これにより一階部分では開放的で広々とした居室空間が形成されている。
【００２６】
階段空間１８には階段１９が設けられている。この階段１９を利用して一階部分と二階部分との間の行き来が可能となっている。階段空間１８は、一階部分と二階部分とに跨って上下に延びる吹き抜け空間となっており、その周囲が仕切壁により囲まれてなる。仕切壁として、階段空間１８を挟んだ両側には対向する一対の間仕切壁２５，２６が設けられている。間仕切壁２５は階段空間１８を和室１４と仕切っており、間仕切壁２６は階段空間１８を脱衣室１７と仕切っている。また、階段空間１８は外壁２７によって屋外と仕切られており、階段空間１８を挟んで外壁２７とは反対側の間仕切壁（図示略）には階段開口部２３が形成されている。
【００２７】
階段開口部２３は、階段空間１８とダイニング１２（換言するとＬＤＫ空間２０）とを連通しており、この階段開口部２３を通じてダイニング１２と階段空間１８との間の行き来が可能となっている。具体的には、各間仕切壁２５，２６の各々の端部（ＬＤＫ空間２０側の端部）の間が階段開口部２３となっており、間仕切壁２５を挟んで階段開口部２３とは反対側に居室間開口部２２が設けられている。この場合、階段開口部２３と居室間開口部２２とは同一平面状に形成されており、換言するとそれら各開口部２２，２３は平面視において同一直線状に配置されている。
【００２８】
なお、階段開口部２３には、当該開口部２３を開閉する引き戸や開き戸等の建具（詳しくは常設の建具）が設けられておらず、それ故ＬＤＫ空間２０は階段開口部２３を介して階段空間１８に開放されている。そのため、ＬＤＫ空間２０の開放感がより一層高められている。
【００２９】
なお、二階部分の間取りについては図示を省略するが、二階部分には二階居室に加え、子供部屋や寝室、書斎等のプライベイトルームが設けられている。
【００３０】
ところで、本実施形態の建物１０では、一階部分に、複数の縦桟が格子状（連子状）に組まれてなる可動式の格子間仕切３０が設けられている。格子間仕切３０は、一階部分において移動可能に設けられており、この格子間仕切３０により一階部分の屋内空間を必要に応じて仕切ることが可能となっている。以下、この格子間仕切３０及びその周辺の構成について説明する。
【００３１】
図１に示すように、建物１０の一階部分には、格子間仕切３０の移動を案内するための案内レール２８が設けられている。案内レール２８は、ＬＤＫ空間２０の天井面に設けられており、図１では便宜上同レール２８を二点鎖線で示している。案内レール２８としては、ＬＤＫ空間２０及び和室１４の境界部（換言すると居室間開口部２２）と、ＬＤＫ空間２０及び階段空間１８の境界部（換言すると階段開口部２３）とに沿って連続して延びる第１案内レール２８ａと、第１案内レール２８ａと直交しかつリビング１１及びダイニング１２の境界部に沿って延びる第２案内レール２８ｂとを備える。詳細には、第１案内レール２８ａは、ＬＤＫ空間２０及び和室１４の境界部全域に亘って、かつＬＤＫ空間２０及び階段空間１８の境界部全域に亘って直線状に延びており、第２案内レール２８ｂは、リビング１１及びダイニング１２の境界部全域に亘って直線上に延びている。また、第１案内レール２８ａと第２案内レール２８ｂとは互いに連続して設けられている。
【００３２】
格子間仕切３０は、基本的には、その横幅方向を案内レール２８の延びる方向に向けた状態で案内レール２８に吊り下げられており（詳細には後述するように格子間仕切３０はキャスタ４８により下方から支持されている）、その吊り下げ状態で同レール２８に沿って移動されるようになっている。格子間仕切３０は第１案内レール２８ａに沿って移動される場合には、ＬＤＫ空間２０及び和室１４の境界部（換言すると居室間開口部２２）に配置されてそれら両空間１４，２０を仕切る第１仕切位置（図５（ａ）参照）と、ＬＤＫ空間２０及び階段空間１８の境界部（換言すると階段開口部２３）に配置されてそれら両空間１８，２０を仕切る第２仕切位置（図５（ｂ）参照）との間で移動可能とされる。
【００３３】
また、格子間仕切３０は第２案内レール２８ｂに沿って移動される場合には、リビング１１及びダイニング１２の境界部における任意の位置に移動できる。この場合、格子間仕切３０が当該任意の位置（第３仕切位置（図５（ｃ）参照））に配置されることで、同間仕切３０によりリビング１１とダイニング１２とが仕切られる。なお、第１案内レール２８ａ（又は第２案内レール２８ｂ）に沿って移動される状態から第２案内レール２８ｂ（又は第１案内レール２８ａ）に沿って移動される状態への切り替えは、各案内レール２８ａ，２８ｂが連続する連続部分を通じて行われる。
【００３４】
続いて、格子間仕切３０の構成について図２及び図３に基づいて説明する。なお、図２は格子間仕切３０を示す正面図であり、図３は格子間仕切３０の一部を拡大して示す斜視図である。図３において（ａ）が縦桟同士の間の隙間が開放された状態を示し、（ｂ）が当該隙間が閉鎖された状態を示す。
【００３５】
図２に示すように、格子間仕切３０は、全体としては矩形板状に形成されており、その高さ寸法がＬＤＫ空間２０の天井高さ（詳しくは同空間２０の床面４７から天井面４６（図４参照）までの高さ寸法）と略同じ、詳細にはそれよりも若干小さいものとなっている。また、格子間仕切３０は、その横幅（詳細には後述するように隙間３８を開放した状態における横幅）が居室間開口部２２の開口幅の略半分となっている。格子間仕切３０は、所定の間隔（詳しくは一定の間隔）で横並びに設けられた複数の縦桟３１と、隣接する縦桟３１同士を互いに連結する複数の連結部材３２とを備えて構成されており、このうち縦桟３１が長尺材に相当するものとなっている。
【００３６】
縦桟３１は、図３に示すように、上下に延びる四角筒状をなしており、その上下の端部にはそれぞれ上板部３６及び下板部３７が固定されている。これらの各部材３１，３６，３７はいずれもアルミニウム等の金属材料からなり互いに溶接固定されている。連結部材３２は、隣接する縦桟３１間において上下に複数（図２では４つ）設けられており、それら縦桟３１同士を左右に連結している。連結部材３２は、横方向（縦桟３１の並び方向）に延びる四角筒状をなし、その（横方向の）長さ寸法が縦桟３１の横幅寸法と同じ、詳細にはそれよりも若干小さい寸法とされている。
【００３７】
連結部材３２による連結構成について詳しく説明すると、各縦桟３１の側面部、詳しくは隙間３８に面した側面部３１ａには、連結部材３２の設置位置に対応して複数の開口部４１が形成されている。この開口部４１は、連結部材３２が挿入される挿入孔部となっており、縦桟３１の内外を連通している。開口部４１は、連結部材３２の断面寸法（縦横寸法）よりも若干大きい寸法を有する矩形形状をなしており、この開口部４１には連結部材３２の端部側が挿通されている。つまり、連結部材３２は、その両端側をそれぞれ当該連結部材３２を挟んで隣り合う各縦桟３１の開口部４１に挿通させた状態でそれら各縦桟３１同士を連結している。
【００３８】
より詳しくは、例えば連結部材３２の両端部にはそれぞれ開口部４１の大きさ（縦横寸法）よりもひとまわり大きい矩形平板状の板金からなる規制板（図示略）が固定されており、その規制板が連結部材３２の開口部４１への挿通状態において縦桟３１の内部に配設されることで、連結部材３２が開口部４１から縦桟３１外部に抜け出るのを防止している。
【００３９】
このような連結状態において、隣り合う縦桟３１はそれら両者を連結している連結部材３２に対して移動可能とされている。具体的には、それら各縦桟３１はそれぞれ連結部材３２を開口部４１に挿通させた状態でその挿通方向すなわち左右方向（換言すると、格子間仕切３０の横幅方向）に移動が可能となっている。この場合、隣り合う各縦桟３１は、かかる移動によって互いの間隔を、換言すると上記隙間３８の幅寸法を調整できるようになっている。これにより、本格子間仕切３０は、図３（ａ）に示すように、隣り合う縦桟３１同士が離間されて隙間３８が形成（開放）される隙間開放状態と、図３（ｂ）に示すように、隣り合う縦桟３１同士が当接されて隙間３８が形成されない（閉鎖される）隙間閉鎖状態とに切替可能とされている。格子間仕切３０が隙間開放状態にある場合には隙間３８を通じて通気が可能とされる一方、隙間閉鎖状態にある場合にはかかる通気が不能とされる。
【００４０】
なお、各連結部材３２は格子間仕切３０の隙間３８ごとに分割されて設けられており、格子間仕切３０の隙間閉鎖状態ではそれら各連結部材３２が縦桟３１の内部に収容された状態となる。したがって、格子間仕切３０を隙間閉鎖状態とした場合に同間仕切３０の横幅方向両端部において連結部材３２が縦桟３１に対して外側（側方）にはみ出すことのないようになっている。
【００４１】
また、本格子間仕切３０では、上記のように隣り合う縦桟３１同士の間隔を調整することで、その横幅寸法を変えられるようになっている。換言すると、本格子間仕切３０は、幅方向において伸縮可能とされている。この点からすると、格子間仕切３０の隙間開放状態を間仕切幅拡張状態、隙間閉鎖状態を間仕切幅収縮状態ということもできる。具体的には、隙間開放状態（間仕切幅拡張状態）における格子間仕切３０の横幅は隙間閉鎖状態（間仕切幅収縮状態）における同間仕切３０の横幅の約２倍となっている。また、本実施形態では、隙間閉鎖状態における格子間仕切３０の横幅が階段開口部２３の開口幅と略同じとなっている（図５（ｂ）参照）。
【００４２】
格子間仕切３０における複数の縦桟３１のうち、両端部に配置された２つの縦桟３１にはその上端部にガイド部材３３が取り付けられている。ガイド部材３３は、案内レール２８のレール溝５５（その詳細は後述）に配設されて同レール２８に沿って案内されるものである。以下、図４に基づいて案内レール２８による案内機構について説明する。なお、図４は案内レール２８にガイド部材３３が配設された状態を示す断面図である。
【００４３】
図４に示すように、ガイド部材３３はステンレス等の金属材料からなり、縦桟３１の上板部３６に固定された円盤状の固定部４３と、固定部４３から上方に延びる軸部４４と、軸部４４の上端に設けられた円盤状の被案内部４５とを有する。固定部４３及び被案内部４５の軸線は軸部４４と同一軸線上に位置している。
【００４４】
一方、案内レール２８は鋼板からなり、天井面４６に固定された固定板部５１と、固定板部５１の両端部から垂下された一対の垂下板部５２と、各垂下板部５２の下端部からそれぞれ互いに接近する側に延びる一対の支持板部５３とを有する。これら各板部５１〜５３により囲まれる内側空間はレール溝５５となっており、同レール溝５５は下方に向けて開放されている。
【００４５】
ここで、ガイド部材３３は、その被案内部４５が案内レール２８のレール溝５５に配設されており、その配設状態において支持板部５３上に載置されている。したがって、格子間仕切３０は、基本的にガイド部材３３を介して案内レール２８に吊り下げられており、その吊り下げ状態で案内レール２８に沿って移動されるようになっている。
【００４６】
また、格子間仕切３０の下端部、例えば複数の縦桟３１のうち両端に配置された縦桟３１の下端部（より詳しくは下板部３７の下面）には、車輪等の回転体４８ａを含んで構成されるキャスタ４８が取り付けられている。回転体４８ａは、水平面内で回転可能とされている。キャスタ４８は床面４７上に載置されており、格子間仕切３０の荷重の一部を下方から支えている。格子間仕切３０が案内レール２８に沿って移動すると、それに伴ってキャスタ４８（回転体４８ａ）が床面４７上を転がるため、格子間仕切３０を円滑に移動できるようになっている。
【００４７】
キャスタ４８には、回転体４８ａの回転を制止するためのブレーキ４８ｂが設けられている。このブレーキ４８ｂにより回転体４８ａの回転を制止することで、格子間仕切３０の移動を阻止することが可能となっている。また、かかる回転体４８ａの回転制止状態では、格子間仕切３０の横幅が伸縮することも規制される。よって、この場合、格子間仕切３０が隙間開放状態（換言すると間仕切幅拡張状態）及び隙間閉鎖状態（換言すると間仕切幅縮小状態）のいずれの状態にある場合でも、その状態が維持されるようになっている。なおここで、ブレーキ４８ｂが阻止手段に相当する。
【００４８】
続いて、上述した格子間仕切３０の作用について図５を参照しながら説明する。図５は、格子間仕切３０の作用を説明するための説明図である。
【００４９】
上述したように、格子間仕切３０は、第１案内レール２８ａ及び第２案内レール２８ｂに沿って移動することで、図５（ａ）に示す第１仕切位置、図５（ｂ）に示す第２仕切位置、及び図５（ｃ）に示す第３仕切位置のそれぞれに移動が可能となっている。格子間仕切３０は、必要に応じてそれら各仕切位置のうちいずれかに配置されて間仕切として用いられるようになっている。また、格子間仕切３０を隙間開放状態（横幅拡張状態）と隙間閉鎖状態（横幅収縮状態）とに切り替える場合には、例えば両端の縦桟３１を互いに離間する側に引っ張ったり、互いに近接する側に押したりすることによって行う。なおここで、第１仕切位置及び第３仕切位置がそれぞれ第１位置に相当し、第２仕切位置が第２位置に相当する。
【００５０】
続いて、格子間仕切３０による各仕切位置における作用について説明する。まず図５（ａ）に示すように、格子間仕切３０が第１仕切位置にある場合には、例えば同間仕切３０を隙間開放状態とする。この場合、格子間仕切３０の隙間３８を介して通気を行いつつＬＤＫ空間２０と和室１４とを仕切ることができるため、それら仕切られた両空間１４，２０を快適なものとすることができる。また、格子間仕切３０が第１仕切位置にある場合に、同間仕切３０を隙間閉鎖状態としてもよい。その場合、格子間仕切３０により視線を遮ることができるため、例えばリビング１１に客が訪れている場合に和室１４のプライバシを確保したりできる。
【００５１】
また、図５（ｂ）に示すように、格子間仕切３０が第２仕切位置にある場合には、同間仕切３０を隙間閉鎖状態とする。これにより、空調装置２１によりＬＤＫ空間２０の空調（具体的には暖房）が実施されている場合に、ＬＤＫ空間２０の暖気が階段空間１８に流れ込むのを格子間仕切３０により抑制できるため、ひいてはその暖気が階段空間１８を通じて（上昇して）二階部分に流れ出すのを抑制できる。そのため、空調効率の低下を抑制できる。また、格子間仕切３０が第２仕切位置にある場合には、ＬＤＫ空間２０から階段空間１８への出入りが遮断されるため、幼児やペット等がＬＤＫ空間２０から階段空間１８に入り込み階段１９を上ったりする等の事態を防止できるという利点もある。
【００５２】
また、図５（ｃ）に示すように、格子間仕切３０が第３仕切位置にある場合には、例えば同間仕切３０を隙間開放状態とする。この場合、格子間仕切３０の隙間３８を介して通気を行いつつリビング１１とダイニング１２とを仕切ることができるため、それら仕切られた両空間１１，１２を快適なものとすることができる。また、かかる場合に、格子間仕切３０を隙間閉鎖状態としてもよい。
【００５３】
以上、詳述した本実施形態の構成によれば、以下の優れた効果が得られる。
【００５４】
複数の縦桟３１が格子状に組まれてなる格子間仕切３０を設け、同間仕切３０を居室空間を仕切る第１仕切位置（又は第３仕切位置）と、ＬＤＫ空間２０と階段空間１８とを仕切る第２仕切位置との間で移動可能とした。そして、格子間仕切３０における隣り合う縦桟３１同士の隙間３８を開閉可能とした。これによれば、格子間仕切３０を第２仕切位置に移動し、同間仕切３０を隙間閉鎖状態とすれば、上記隙間３８を通じたＬＤＫ空間２０と階段空間１８との通気を遮断できる。これにより、ＬＤＫ空間２０において空調装置２１による暖房が実施されている場合に、ＬＤＫ空間２０内の暖気が階段空間１８に流れ込むのを、ひいては階段空間１８を通じて（上昇して）二階部分に流れ出るのを抑制できるため、空調効率の低下を抑制できる。
【００５５】
また、階段開口部２３に当該開口部２３を開閉する引き戸を設け、当該引き戸によりＬＤＫ空間２０と階段空間１８との通気を遮断することも可能ではあるが、階段開口部２３に引き戸を設置するとなると同開口部２３周辺の構成が煩雑となるおそれがある。この点、格子間仕切３０を第２仕切位置に移動させることで、ＬＤＫ空間２０と階段空間１８との通気を遮断する上記の構成によれば、階段開口部２３周辺の構成が煩雑となるのを抑制しつつ、空調効率の低下を抑制できる。
【００５６】
隣り合う縦桟３１同士の間隔を可変とすべく、それら縦桟３１同士を相対変位可能に連結する連結部材３２を設けた。具体的には、隣り合う各縦桟３１をそれら両者を連結する連結部材３２に対して移動可能に設け、各縦桟３１の移動によって縦桟３１同士の間隔を可変とした。そして、隣り合う各縦桟３１を互いに当接させることにより縦桟３１同士の間の隙間３８が閉鎖される隙間閉鎖状態とし、隣り合う各縦桟３１を互いに離間させることにより隙間３８が開放される隙間開放状態とした。この場合、隙間３８の開閉に伴って格子間仕切３０の横幅を大小調整することが可能となる。具体的には、隙間３８が開放（形成）された場合には格子間仕切３０の横幅を大きくすることができ、隙間３８が閉鎖された（形成されない）場合には格子間仕切３０の横幅を小さくすることができる。したがって、格子間仕切３０を第１仕切位置に配置してＬＤＫ空間２０と和室１４とを仕切る場合において隙間開放状態とすれば、それら両空間１４，２０を広範囲に仕切ることができる。一方、格子間仕切３０を第２仕切位置に配置し隙間閉鎖状態とすることにより階段空間１８とＬＤＫ空間２０とを仕切る場合には、格子間仕切３０が階段開口部２３から側方にはみ出す量を小さくすることができ、同はみ出し部分が歩行の邪魔になる等の不都合を抑制できる。よって、この場合、ＬＤＫ空間２０と和室１４とを仕切る場合、及びＬＤＫ空間２０と階段空間１８とを仕切る場合の双方において、格子間仕切３０を好適に用いることができる。
【００５７】
格子間仕切３０の移動を案内する案内レール２８を設けたため、格子間仕切３０の移動を好適に行うことができる。
【００５８】
格子間仕切３０の移動を阻止する阻止手段としてキャスタ４８にブレーキ４８ｂを設けたため、このブレーキ４８ｂにより回転体４８ａの回転を制止することで格子間仕切３０を所定の位置に保持させておくことができる。これにより、移動可能な格子間仕切３０であっても安定した設置状態を実現できる。
【００５９】
本発明は上記実施形態に限らず、例えば次のように実施されてもよい。
【００６０】
（１）上記実施形態では、格子間仕切３０における隣り合う縦桟３１同士の隙間３８を、それら各縦桟３１同士を相対変位させることにより縦桟３１同士の間隔を調整することで開閉する構成としたが、隙間３８を開閉するための構成は必ずしもこれに限定されない。例えば図６に示す構成が考えられる。図６に示す格子間仕切５０は、同一構成からなる２枚の間仕切パネル６０ａ，６０ｂを備えて構成されている。それら各間仕切パネル６０ａ，６０ｂは、少なくとも一部が重ね合わせられた状態で横幅方向への移動が可能に設けられており、その移動によって互いの重なり代が調整されるようになっている。間仕切パネル６０ａ，６０ｂは、横並びに設けられた複数の縦桟６１ａ，６１ｂと、隣り合う縦桟６１ａ，６１ｂ同士を連結する複数の連結部材６２ａ，６２ｂとを備え、その点において上記実施形態の格子間仕切３０と同様の構成となっている。間仕切パネル６０ａ，６０ｂでは、格子間仕切３０との相違点として、連結部材６２ａ，６２ｂの両端部がそれぞれ隣り合う各縦桟６１ａ，６１ｂに固定されており、これによって隣り合う縦桟６１ａ，６１ｂ同士の間隔が不変とされている。但し、格子間仕切３０の場合と同様に、縦桟６１ａ，６１ｂ同士の間隔を可変としてもよい。また、その他の相違点として、間仕切パネル６０ａ，６０ｂでは、その厚みが格子間仕切３０の厚みの約半分となっている。したがって、格子間仕切５０としては、その厚みが格子間仕切３０の厚みと同じとなっている。
【００６１】
かかる構成の格子間仕切５０によれば、図６（ａ）に示すように、各間仕切パネル６０ａ，６０ｂにおいて、互いの縦桟６１ａ，６１ｂが格子間仕切５０の厚み方向に対向して重なっている状態では、各間仕切パネル６０ａ，６０ｂにおける縦桟６１ａ，６１ｂ同士の間の隙間３８が格子間仕切５０の厚み方向に連続される。この場合、当該連続された隙間３８を通じて空気の流通が可能とされる。一方、図６（ｂ）に示すように、各間仕切パネル６０ａ，６０ｂにおいて、互いの縦桟６１ａ，６１ｂが互い違いに配置されている状態では、一方の間仕切パネル６０ａ（６０ｂ）における縦桟６１ａ（６１ｂ）同士の隙間３８が他方の間仕切パネル６０ｂ（６０ａ）の縦桟６１ｂ（６１ａ）によって閉鎖される。この場合、格子間仕切５０を介した空気の流通が遮断される。
【００６２】
つまり、上述の格子間仕切５０によれば、各間仕切パネル６０ａ，６０ｂのうちいずれか一方の間仕切パネル６０ａ（６０ｂ）の位置を他方の間仕切パネル６０ｂ（６０ａ）に対して若干ずらすだけで、詳しくは縦桟６１ａ，６１ｂの横幅寸法分ずらすだけで、他方の間仕切パネル６０ｂの各隙間３８を一度に開閉できる。この場合、格子間仕切５０（詳しくは間仕切パネル６０）の各隙間３８を個別に開閉する場合と比べ、隙間３８の開閉作業を容易とすることができる。
【００６３】
なお、本例では、図７に示すように、建物１０の一階部分においてそれら各間仕切パネル６０ａ，６０ｂの移動をそれぞれ案内する２つの案内レール６５ａ，６５ｂが設けられており、各間仕切パネル６０ａ，６０ｂはそれぞれ各案内レール６５ａ，６５ｂに沿って互いに独立して移動されるものとなっている。図７では、各間仕切パネル６０ａ，６０ｂが、ＬＤＫ空間２０と和室１４との境界部、すなわち第１仕切位置において互いの幅方向の端部同士を重ね合わせた状態で配置されている。この場合、各間仕切パネル６０が同境界部の全域（居室間開口部２２の開口幅全域）に亘って配置されるため、同間仕切６０により仕切られる両空間２０，１４の独立性を高めることができる。
【００６４】
（２）また、格子間仕切３０に、各縦桟３１同士の隙間３８を開閉する開閉手段として開閉板を設けてもよい。開閉板は、例えば縦桟３１に沿って延びる長尺状の平板からなり、隙間３８を塞ぐことが可能な長さ及び幅を有して形成されている。開閉板は、各縦桟３１の側面（詳しくは側面３１ａと直交する側面）にそれぞれヒンジ等の回動部材を介して回動可能に取り付けられる。この場合、開閉板を開状態とすることで隙間３８が開放される隙間開放状態にすることができ、開閉板を閉状態とすることで隙間３８が閉鎖される隙間閉鎖状態にすることができる。
【００６５】
（３）上記実施形態では、格子間仕切３０を、複数の縦桟３１（長尺材に相当）により格子状（連子状）に形成したが、これを変更して、複数の横桟（長尺材に相当）により格子状に形成してもよい。つまり、横桟を上下に複数並べることで格子間仕切を形成してもよい。この場合、隣り合う各横桟の間の隙間の開閉は、上記（２）における開閉板を用いた構成とすることが考えられる。また、格子間仕切を、複数の縦桟と複数の横桟とにより格子状に形成してもよい。この場合、縦桟と横桟とにより囲まれる部分が隙間となり、その隙間を上記同様に開閉板で開閉することが考えられる。
【００６６】
（４）連結部材３２を伸縮可能に構成してもよい。図８に示す格子間仕切７０では、上記実施形態における連結部材３２に代えて、伸縮可能な連結部材７１が用いられている。連結部材７１は、一対の第１連結部７２と、それら各第１連結部７２同士を連結する第２連結部７３とを備える。第１連結部７２は、横方向に延びる四角筒状をなしており、その長さが縦桟３１の横幅の略半分となっている。一方、第２連結部７３は、第１連結部７２と同様に、横方向に延びる四角筒状をなしており、その長さが縦桟３１の横幅と略同じとなっている。また、第２連結部７３は、その断面寸法（断面外形寸法）が第１連結部７２の内寸よりも若干小さい寸法となっている。
【００６７】
第２連結部７３の両端側はそれぞれ各第１連結部７２の内側に挿入されている。換言すると、各第１連結部７２の内側にはそれぞれ第２連結部７３が挿入されており、各第１連結部７２はそれぞれかかる挿入状態において第２連結部７３に対し移動可能に連結されている。詳しくは、各第１連結部７２は第２連結部７３に対して同連結部７３の延びる方向に移動可能とされている。この場合、各第１連結部７２をそれぞれ互いに近接する側又は離間する側に移動させることにより、連結部材７１を伸縮させることが可能となる。本例では、連結部材７１を伸ばした状態（図８（ａ）参照）における同部材７１の長さが、連結部材７１を縮めた状態（図８（ｂ）参照）における同部材７１の長さの約２倍となり、縦桟３１の横幅寸法と比べても２倍となっている。
【００６８】
なお、図示は省略するものの、連結部材７１には、第１連結部７２が第２連結部７３から離脱するのを防止するための離脱防止構造が設けられている。かかる構造として例えば、第１連結部７２の内周面には同内周面から突出する係合部（図示略）を設ける一方、第２連結部７３の外周面には同外周面から突出する被係合部（図示略）を設け、第１連結部７２の係合部を第２連結部７３の被係合部に係合させることにより、第１連結部７２が第２連結部７３から離脱するのを防止する構成が考えられる。
【００６９】
上記構成の連結部材７１は隣り合う縦桟３１の間に配設されて、それら各縦桟３１同士を連結している。具体的には、連結部材７１の各第１連結部７２がそれぞれ各縦桟３１に連結されている。なお、連結部材７１（詳しくは第１連結部７２）は、上記実施形態の連結部材３２と同様に、縦桟３１に対して移動可能に連結されている。
【００７０】
かかる格子間仕切７０によれば、連結部材７１を縮めた状態において、隣り合う各縦桟３１同士を互いに当接させることにより隙間３８を閉鎖でき、各縦桟３１同士を互いに離間させることにより隙間３８を開放できる（図８（ｂ）参照）。この点については上記実施形態の格子間仕切３０と同様である。そして、本格子間仕切７０では、さらに、連結部材７１を縮めた状態における隙間開放状態（図８（ｂ）の状態）から連結部材７１を伸張させることにより隙間３８を大きくすることができる（図８（ａ）参照）。要するに、本格子間仕切７０では、隣り合う各縦桟３１を連結部材７１に対してスライドさせることによっても、連結部材７１を伸縮させることによっても、各縦桟３１の間の間隔を調整できる。そのため、縦桟３１同士の間隔の調整範囲を大きくすることができ、ひいては格子間仕切７０の横幅の調整範囲を大きくすることができる。これにより、格子間仕切７０を第１仕切位置に配置して隙間開放状態とした場合には、ＬＤＫ空間２０と和室１４とをより一層広範囲に仕切ることができる。
【００７１】
また、隣り合う各縦桟３１の間隔の調整範囲を大きくすることで、それら各縦桟３１の間の隙間３８を通じて流通する空気の量すなわち通気量についてもその調整範囲を大きくすることができる。そのため、多様な通気を行うことができるという利点もある。
【００７２】
なお、連結部材７１を伸縮可能とした構成において、隣り合う各縦桟３１をそれぞれ連結部材７１に対して移動不能に固定する構成としてもよい。この場合においても、連結部材７１を伸縮させることにより、隙間３８を開閉することが可能となる。
【００７３】
（５）格子間仕切３０の下端部にキャスタ４８を設けずに、同間仕切３０をガイド部材３３を介して案内レール２８に吊下げ支持する構成としてもよい。この場合、格子間仕切３０は、その下端が床面４７から離間された状態で案内レール２８に吊り下げられる。ここで、かかる構成において、格子間仕切３０の移動を阻止する阻止手段を例えば図９に示す構成としてもよい。図９では、格子間仕切３０において上下に複数設けられた連結部材３２のうち下端部に配置された連結部材３２ａの一部が下方に向けてスライド移動可能とされている。具体的には、縦桟３１においてかかる連結部材３２ａに対応する開口部４１は下端側が開放されており、これにより連結部材３２ａが縦桟３１の下端部よりも下方まで移動可能となっている。
【００７４】
また、開口部４１の側縁（両側の側縁）にはラチェット溝（図示略）が形成されており、連結部材３２ａの側面（両側面）には当該ラチェット溝に係止可能なラチェット歯（図示略）が設けられている。そのため、連結部材３２ａは、そのラチェット歯がラチェット溝に係止されることによって所定のスライド位置で固定できるようになっている。
【００７５】
連結部材３２ａの下面にはゴム板８１が接着等によって取り付けられている。ここでは、このゴム板８１や上記連結部材３２ａ等によって阻止手段が構成されている。この場合、連結部材３２ａを下方に移動させることでゴム板８１を床面４７に押し付け、その押し付け状態で連結部材３２ａを縦桟３１に（上記ラチェット係止により）固定することにより、格子間仕切３０の移動を阻止することができる。
【００７６】
（６）格子間仕切３０を移動させるために駆動する間仕切駆動装置を設け、同駆動装置を駆動させることにより格子間仕切３０を移動させるようにしてもよい。間仕切駆動装置は、例えば周知の電動式モータ等により構成される。この場合、格子間仕切３０を手で押す等して移動させる場合と比べ、間仕切３０の移動作業を容易とすることができる。
【００７７】
また、格子間仕切３０の各縦桟３１について横方向（格子間仕切３０の幅方向）への移動を駆動する縦桟駆動装置を設けてもよい。縦桟駆動装置は、例えば周知の電動式のモータ等からなる。この場合、縦桟駆動装置を駆動させることにより、格子間仕切３０を、隣り合う各縦桟３１同士の間に隙間３８が形成される隙間開放状態と、当該隙間３８が形成されない隙間閉鎖状態とに切り替えることができる。そのため、格子間仕切３０を各状態に切り替える作業を容易とすることができる。
【００７８】
また、空調装置２１が運転しているか否かに基づいて、格子間仕切３０を隙間開放状態と隙間閉鎖状態とに切り替えるよう縦桟駆動装置を制御する制御手段を設けてもよい。具体的には、空調装置２１が運転している場合には格子間仕切３０を隙間閉鎖状態とし、空調装置２１が運転していない場合には格子間仕切３０を隙間開放状態とするよう縦桟駆動装置を制御することが考えられる。これによれば、ＬＤＫ空間２０において空調が実施されている場合には、格子間仕切３０が自動で隙間閉鎖状態に切り替わるため、格子間仕切３０を用いてＬＤＫ空間２０の空気が階段空間１８に流出するのを抑制する際には都合がよい。
【００７９】
さらに、空調装置２１が運転している場合に、格子間仕切３０を階段空間１８とＬＤＫ空間２０とを仕切る第２仕切位置に移動させるよう間仕切駆動装置を駆動制御してもよい。そうすれば、ＬＤＫ空間２０において空調が実施されている場合に格子間仕切３０が自動で第２仕切位置に移動されるため、より一層利便性を高めることができる。
【００８０】
（７）ところで、共通の空調装置を用いて一階部分における複数の部屋の空調を行うセントラル式の空調システムが知られている。かかる空調システムを上記実施形態の建物１０に採用した場合に、格子間仕切３０によって仕切ることができるリビング１１、ダイニング１２及び和室１４の各居室をそれぞれ空調対象として含むように空調（冷房又は暖房）を行ってもよい。すなわち、リビング１１、ダイニング１２及び和室１４にそれぞれ吹出グリル（吹出口）を設置し、共通の空調装置よりそれら各吹出グリルに空調空気（冷気又は暖気）を供給するようにする。そうすれば、格子間仕切３０により一階部分の居室空間がどのように仕切られていても、リビング１１、ダイニング１２及び和室１４の各居室に空調装置より空調空気を供給でき、それら各居室の空調を好適に行うことができる。
【００８１】
（８）ところで、従来より梁及び柱を有してなる複数の建物ユニットが互いに連結されて構成されるユニット式建物が知られている。そこで、本発明の間仕切構造をかかるユニット式建物に適用することが考えられる。建物ユニットは全体として略直方体状をなしており、その四隅に立設された柱と、各柱の上端部同士を連結する天井大梁と、各柱の下端部同士を連結する床大梁とを備える。対向する天井大梁の間には複数の天井小梁が架け渡され、それら天井小梁により天井面材が支持されている。一方、対向する床大梁の間には複数の床小梁が架け渡され、それら床小梁により床面材が支持されている。ここで、案内レール２８をユニット式建物に設置する場合には、同レール２８が複数の建物ユニットに跨って設置されることが想定される。この場合、案内レール２８を施工現場にて各建物ユニットの天井面材にそれぞれ取り付ければよい。
【００８２】
また、ユニット式建物では、隣り合う各建物ユニットの天井面材の間に所定の隙間が形成される。この隙間にはそれら各天井面材を繋ぐ天井繋ぎ面材が施工現場で配設される。そこで、製造工場においてこの天井繋ぎ面材に予め案内レール２８を組み付けておくようにしてもよい。そうすれば、天井繋ぎ面材の設置と同時に案内レールの設置を行うことができるため、施工工数の削減が図れる。
【００８３】
（９）本発明の間仕切構造を建物の二階部分に適用してもよい。例えば、二階部分では二階居室と、一階部分に通じる階段１９が設置された階段空間１８とが隣接して設けられる。この場合、格子間仕切３０を二階居室を仕切る第１位置と、二階居室と階段空間１８とを仕切る第２位置との間で移動可能に設けることが考えられる。かかる構成でも、格子間仕切３０を第２位置に移動させて同間仕切３０を隙間閉鎖状態とすれば、二階居室と階段空間１８との間の空気の流通を遮断できる。したがって、二階居室で空調装置により冷房が実施されている場合に、二階居室の冷気が階段空間１８を通じて（下降して）一階部分に流れ出るのを抑制できる。よって、空調効率の低下を抑制できる。
【符号の説明】
【００８４】
１０…建物、１８…階段空間、１９…階段、２０…居室空間としてのＬＤＫ空間、２３…階段開口部、２８…案内レール、３０…格子間仕切、３１…長尺材としての縦桟、３２…連結部材、３８…隙間、５０…格子間仕切、６０…間仕切パネル、６１…長尺材としての縦桟、６２…連結部材、７０…格子間仕切、７１…連結部材。
【図１】
2013014896.tif 000003
【図２】
2013014896.tif 000004
【図３】
2013014896.tif 000005
【図４】
2013014896.tif 000006
【図５】
2013014896.tif 000007
【図６】
2013014896.tif 000008
【図７】
2013014896.tif 000009
【図８】
2013014896.tif 000010
【図９】
2013014896.tif 000011